(57)【特許請求の範囲】
【請求項１】
繊維と樹脂とを含む複合材を制振材として構造体本体に設置するために行われる構造体の設計方法であって、
前記構造体に要求される要求性能が予め設定されており、
前記複合材を設置可能な前記構造体の複合材設置領域を分割した複数の分割設置領域の少なくとも一つの領域に、前記複合材を設置したときの前記構造体の設計性能を解析する第１設計性能解析工程と、
前記第１設計性能解析工程の解析結果に基づいて、前記複合材を設置する前記分割設置領域を選定する分割設置領域選定工程と、
前記構造体の厚み方向における前記複合材の積層位置を異ならせて前記複合材を設置したときの前記構造体の設計性能を解析する第２設計性能解析工程と、
前記第２設計性能解析工程の解析結果に基づいて、前記複合材を設置する前記積層位置を選定する積層位置選定工程と、
前記複合材に含まれる前記繊維の繊維方向を異ならせて前記複合材を設置したときの前記構造体の設計性能を解析する第３設計性能解析工程と、
前記第３設計性能解析工程の解析結果に基づいて、前記繊維の繊維方向を選定する繊維方向選定工程と、
前記分割設置領域選定工程において選定された前記分割設置領域と、前記積層位置選定工程において選定された前記積層位置と、前記繊維方向選定工程により選定された繊維方向とを少なくとも含む設計パラメータから導出される前記構造体の設計性能が、前記要求性能を満足するか否かを判定する性能判定工程と、を備えることを特徴とする構造体の設計方法。
【請求項２】
前記制振材は、前記繊維として、ポリアリレート系繊維を含むことを特徴とする請求項１に記載の構造体の設計方法。
【請求項３】
前記第２設計性能解析工程では、前記分割設置領域選定工程により選定された前記分割設置領域において、前記複合材の前記積層位置を異ならせており、
前記第３設計性能解析工程では、前記分割設置領域選定工程により選定された前記分割設置領域であって、且つ、前記積層位置選定工程において選定された前記積層位置において、前記繊維の繊維方向を異ならせていることを特徴とする請求項１または２に記載の構造体の設計方法。
【請求項４】
前記積層位置は、
前記構造体を構成する構造部材の外表面上の位置である外表面積層位置と、
前記構造部材の内部の位置である内部積層位置と、を含むことを特徴とする請求項１から３のいずれか１項に記載の構造体の設計方法。
【請求項５】
前記要求性能には、複数の要求性能パラメータが含まれており、
複数の前記要求性能パラメータは、前記構造体の強度、前記構造体の剛性、及び前記構造体の振動に対する減衰率の少なくともいずれかを含むことを特徴とする請求項１から４のいずれか１項に記載の構造体の設計方法。
【発明の詳細な説明】
【技術分野】
【０００１】
本発明は、複合材が設置される構造体の設計方法に関するものである。
【背景技術】
【０００２】
従来、放熱特性と剛性とを兼ね備えるべく、繊維強化樹脂部材と金属部材とを接合した複合構造体が知られている（例えば、特許文献１参照）。
【先行技術文献】
【特許文献】
【０００３】
【特許文献１】特開２００８−２３０２３７号公報
【発明の概要】
【発明が解決しようとする課題】
【０００４】
ところで、構造体としては、例えば、航空機の機体があり、機体には、気流の乱れによって振動が発生する。機体に振動が発生すると、振動する部位に負荷が与えられることから、負荷が与えられる部位の剛性を高くすべく、剛性を高くする部位の厚みを厚くする必要がある。しかしながら、厚みを厚くすると、機体重量が増加してしまう。このため、機体に発生する振動を抑制するために、機体に制振材を設置することが考えられている。制振材としては、例えば、ポリアリレート系繊維と樹脂とを含む複合材がある。ここで、複合材からなる制振材を、機体等の構造体に設置する場合、構造体に要求される要求性能を満たす必要がある一方で、構造体に制振材を過剰に設置すると、機体重量が増加する可能性がある。
【０００５】
そこで、本発明は、複合材からなる制振材を、構造体に好適に設置することができる構造体の設計方法及び構造体を提供することを課題とする。
【課題を解決するための手段】
【０００６】
本発明の構造体の設計方法は、繊維と樹脂とを含む複合材を制振材として構造体本体に設置するために行われる構造体の設計方法であって、前記構造体に要求される要求性能が予め設定されており、前記複合材を設置可能な前記構造体の複合材設置領域を分割した複数の分割設置領域の少なくとも一つの領域に、前記複合材を設置したときの前記構造体の設計性能を解析する第１設計性能解析工程と、前記第１設計性能解析工程の解析結果に基づいて、前記複合材を設置する前記分割設置領域を選定する分割設置領域選定工程と、前記構造体の厚み方向における前記複合材の積層位置を異ならせて前記複合材を設置したときの前記構造体の設計性能を解析する第２設計性能解析工程と、前記第２設計性能解析工程の解析結果に基づいて、前記複合材を設置する前記積層位置を選定する積層位置選定工程と、前記複合材に含まれる前記繊維の繊維方向を異ならせて前記複合材を設置したときの前記構造体の設計性能を解析する第３設計性能解析工程と、前記第３設計性能解析工程の解析結果に基づいて、前記繊維の繊維方向を選定する繊維方向選定工程と、前記分割設置領域選定工程において選定された前記分割設置領域と、前記積層位置選定工程において選定された前記積層位置と、前記繊維方向選定工程により選定された繊維方向とを少なくとも含む設計パラメータから導出される前記構造体の設計性能が、前記要求性能を満足するか否かを判定する性能判定工程と、を備えることを特徴とする。
【０００７】
この構成によれば、要求性能を満足する、分割設置領域、積層位置及び繊維方向を選定することができるため、構造体に複合材（制振材）を好適に設置することができる。このため、構造体の振動を複合材によって好適に減衰させることができ、構造体の制振性能を高めることができるため、構造体の振動による疲労を低減することができ、構造体の耐用寿命を長くすることができる。また、複合材を、構造体に過剰に設置することを抑制できることから、構造体の重量増加を抑制することができる。なお、分割設置領域選定工程、積層位置選定工程、及び繊維方向選定工程は、その順序が入れ替え可能である。
【０００８】
また、前記制振材は、前記繊維として、ポリアリレート系繊維を含むことが、好ましい。
【０００９】
この構成によれば、ポリアリレート系繊維を用いることで、高強度・高弾性を有する制振材とすることができるため、振動に対する減衰特性の向上を図ることができる。
【００１０】
また、前記第２設計性能解析工程では、前記分割設置領域選定工程により選定された前記分割設置領域において、前記複合材の前記積層位置を異ならせており、前記第３設計性能解析工程では、前記分割設置領域選定工程により選定された前記分割設置領域であって、且つ、前記積層位置選定工程において選定された前記積層位置において、前記繊維の繊維方向を異ならせていることが、好ましい。
【００１１】
この構成によれば、分割設置領域選定工程、積層位置選定工程、繊維方向選定工程を順に行うことで、設計感度の高い方から、設計パラメータを選定することができる。
【００１２】
また、前記積層位置は、前記構造体を構成する構造部材の外表面上の位置である外表面積層位置と、前記構造部材の内部の位置である内部積層位置と、を含むことが、好ましい。
【００１３】
この構成によれば、複合材を構造部材の外表面に設けた場合の設計性能を評価したり、複合材を構造部材の内部に設けた場合の設計性能を評価したりすることができる。これにより、要求性能を満足する場合、例えば、既設の構造部材の外表面に複合材を貼り合わせたり、構造部材の内部に複合材を積層したりすることができる。
【００１４】
また、前記要求性能には、複数の要求性能パラメータが含まれており、複数の前記要求性能パラメータは、前記構造体の強度、前記構造体の剛性、及び前記構造体の振動に対する減衰率の少なくともいずれかを含むことが、好ましい。
【００１５】
この構成によれば、要求性能を満足する、構造体の強度、構造体の剛性、及び構造体の振動に対する減衰率とすることができる。なお、これらの要求性能パラメータは、分割設置領域選定工程、積層位置選定工程、繊維方向選定工程において選定される設計パラメータに対する感度が大きいパラメータとなっている。
【００１６】
本発明の構造体は、第１の複合材を用いて構成される構造体本体と、前記構造体本体に設置され、繊維と樹脂とを含む第２の複合材と、を備え、前記第２の複合材は、制振材として、前記第１の複合材の内部に介在して設置されることを特徴とする。
【００１７】
この構成によれば、制振材となる第２の複合材を、第１の複合材の内部に介在させることで、構造体本体と第２の複合材とが一体となる構造体を成形することができる。このため、制振性能を有する構造体とすることができる。
【００１８】
また、前記第２の複合材は、前記第１の複合材の厚み方向に所定の間隔を空けて複数設けられ、複数の前記第２の複合材の前記繊維の繊維方向は、相互に交差するように設置されることが、好ましい。
【００１９】
この構成によれば、複数の第２の複合材を厚み方向に分散して配置することができるため、第１の複合材と第２の複合材との間の剛性差が大きくなることを抑制することができる。また、複数の第２の複合材の繊維方向を適宜異ならせることで、等方性または異方性の特性を調整することができる。なお、例えば、第２の複合材が２層で構成される場合、複数の第２の複合材における繊維方向を、所定の角度を基準として、±４５°、±６０°等となるように異ならせてもよい。
【００２０】
本発明の他の構造体は、第１の複合材を用いて構成される構造体本体と、前記構造体本体に設置され、繊維と樹脂とを含む第２の複合材と、を備え、前記第２の複合材は、制振材として、前記第１の複合材の外表面に設置されることを特徴とする。
【００２１】
この構成によれば、制振材となる第２の複合材を、第１の複合材の外表面に設置させることができる。このため、既設の構造体本体に、第２の複合材を貼り合わせるという簡易な構成で、制振性能を有する構造体とすることができる。
【００２２】
また、前記制振材は、前記繊維として、ポリアリレート系繊維を含むことが、好ましい。
【００２３】
この構成によれば、ポリアリレート系繊維を用いることで、高強度・高弾性を有する制振材とすることができるため、振動に対する減衰特性の向上を図ることができる。
【００２４】
また、前記構造体は、翼体であり、前記第２の複合材に含まれる前記繊維の繊維方向は、前記翼体の翼長方向におけるベクトルが長く、前記翼長方向に直交する翼幅方向におけるベクトルが短いことが、好ましい。
【００２５】
この構成によれば、第２の複合材に含まれる繊維の繊維方向を、翼体の翼長方向に沿った方向とすることができるため、第２の複合材の制振材としての機能を、翼体に対して好適に発揮させることができる。
【図面の簡単な説明】
【００２６】
【図１】図１は、本実施形態に係る構造体の設計方法が適用される分解された尾翼周りの航空機の機体を示す斜視図である。
【図２】図２は、本実施形態に係る複合材を示す断面図である。
【図３】図３は、本実施形態に係る構造体の設計方法に関するフローチャートである。
【図４】図４は、本実施形態に係る翼体の複数の分割設置領域を示す説明図である。
【図５】図５は、本実施形態に係る翼体の積層位置を示す説明図である。
【図６】図６は、本実施形態に係る構造体の設計方法によって得られる解析結果を示すグラフである。
【発明を実施するための形態】
【００２７】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。さらに、以下に記載した構成要素は適宜組み合わせることが可能であり、また、実施形態が複数ある場合には、各実施形態を組み合わせることも可能である。
【００２８】
［実施形態］
本実施形態に係る構造体の設計方法は、例えば、航空機の機体等の構造体を設計するための方法である。具体的に、構造体の設計方法は、ポリアリレート系繊維と樹脂とを含む複合材を制振材として用い、この制振材を構造体本体に設置して、構造体が要求性能を満足するか否かを評価している。先ず、構造体の設計方法の説明に先立ち、構造体本体、及び構造体本体に設置される制振材としての複合材について説明する。
【００２９】
図１は、本実施形態に係る構造体の設計方法が適用される分解された尾翼周りの航空機の機体を示す斜視図である。図２は、本実施形態に係る複合材を示す断面図である。
【００３０】
構造体本体は、図１に示すように、航空機において振動が発生し易い尾翼等の翼体である。具体的に、航空機の機体１は、円筒形状となる胴体１１と、胴体１１の機尾側の上部に取り付けられる垂直尾翼１２とを備えている。ここで、機体１において、機首と機尾とを結ぶ方向を全長方向とし、全長方向に直交すると共に左側と右側とを結ぶ方向を幅方向とし、全長方向及び幅方向に直交する方向と高さ方向とする。また、垂直尾翼１２において、上記の高さ方向が翼長方向となっており、上記の全長方向が翼幅方向となっており、上記の幅方向が翼厚方向となっている。
【００３１】
垂直尾翼１２は、機首側の垂直安定板１４と、機尾側の方向舵１５とを有しており、垂直安定板１４は、胴体１１に固定され、方向舵１５は、垂直安定板１４に対して幅方向に可動する。
【００３２】
垂直安定板１４は、スパー（桁）２１と、リブ（子骨）２２と、スキン（外板）２３とを備えている。スパー２１は、翼長方向に延びて設けられ、翼幅方向に所定の間隔を空けて複数並べて設けられている。リブ２２は、スパー２１と直交して設けられる骨材であり、翼長方向に直交する面で切った翼断面となる所定の形状に形成されている。そして、このリブ２２は、翼幅方向に延びて設けられ、翼長方向に所定の間隔を空けて複数並べて設けられている。スキン２３は、その外側の面が垂直尾翼１２（垂直安定板１４）の外表面を構成しており、その内側の面がスパー２１及びリブ２２に取り付けられている。なお、方向舵１５は、垂直安定板１４とほぼ同様の構成であることから、説明を省略する。
【００３３】
このように、垂直尾翼１２を構成する構造部材としては、スパー２１、リブ２２及びスキン２３があり、この構造部材は、複合材（第１の複合材）を用いて構成されている。構造部材に用いられる複合材としては、炭素繊維と樹脂とを含む炭素繊維強化プラスチック（ＣＦＲＰ：Carbon Fiber Reinforced Plastic）である。なお、本実施形態では、構造部品を複合材により構成したが、複合材に特に限定されず、例えば、構造部品をアルミ合金等の金属材により構成してもよい。
【００３４】
次に、図２を参照して、構造体本体としての垂直尾翼１２に設置される、制振材としての複合材（第２の複合材）３０について説明する。この複合材３０は、炭素繊維と樹脂とを含む炭素繊維強化プラスチックの層であるＣＦＲＰ層３１と、ポリアリレート系繊維と樹脂とを含むポリアリレート系繊維強化プラスチックの層であるＶＦＲＰ層３２とが接合された積層板となっている。
【００３５】
ＶＦＲＰ層３２は、ポリアリレート系繊維として、例えば、ベクトラン（登録商標）が用いられ、樹脂としては、エポキシ系樹脂が用いられている。ベクトランを用いて形成されるＶＦＲＰ（Vectran Fiber Reinforced Plastic）層３２は、高強度・高弾性を有する層となっており、制振機能を有している。ＶＦＲＰ層３２は、１プライ（１層）で構成してもよいし、２プライ以上の複数層で構成してもよく、特に限定されない。
【００３６】
ＣＦＲＰ層３１は、ＶＦＲＰ層３２よりも硬質となっており、樹脂としては、ＶＦＲＰ層３２と同様に、エポキシ系樹脂が用いられている。なお、ＣＦＲＰ層３１も、ＶＦＲＰ層３２と同様に、１プライ（１層）で構成してもよいし、２プライ以上の複数層で構成してもよく、特に限定されない。
【００３７】
このＣＦＲＰ層３１及びＶＦＲＰ層３２のそれぞれは、積層方向において複数設けられている。つまり、複合材３０は、複数（本実施形態では、例えば、２層）のＶＦＲＰ層３２が、複数（本実施形態では、例えば、３層）のＣＦＲＰ層３１の間に漉き込まれた積層構造となっており、ＶＦＲＰ層３２が積層方向に分散して配置されている。なお、２層のＶＦＲＰ層３２に含まれるポリアリレート系繊維の繊維方向は、下記する設計方法において設計された繊維方向となる。
【００３８】
このような複合材３０は、ＣＦＲＰ層３１とＶＦＲＰ層３２とが一体に成形されている。つまり、硬化前の樹脂を含浸させたポリアリレート系繊維と、硬化前の樹脂を含浸させた炭素繊維とを、交互に複数積層して一体とする。そして、一体となった複数のＣＦＲＰ層３１と複数のＶＦＲＰ層３２とに対して、熱処理を行って、樹脂を熱硬化させて、複合材３０を成形する。
【００３９】
なお、本実施形態では、複合材３０として、ＣＦＲＰ層３１とＶＦＲＰ層３２とを積層した積層板を適用したが、ＶＦＲＰ単体の複合材であってもよく、ＶＦＲＰを含む複合材であれば、特に限定されない。
【００４０】
続いて、図３から図５を参照して、構造体本体としての垂直尾翼１２に、複合材３０を設置するための構造体の設計方法について説明する。図３は、本実施形態に係る構造体の設計方法に関するフローチャートである。図４は、本実施形態に係る翼体の複数の分割設置領域を示す説明図である。図５は、本実施形態に係る翼体の積層位置を示す説明図である。なお、本実施形態では、垂直尾翼１２に複合材３０を設置する場合について説明するが、構造体本体としては、垂直尾翼１２に限定されず、いずれの構造体であってもよい。
【００４１】
ここで、本実施形態の構造体の設計方法では、垂直尾翼１２に設置される複合材３０が、垂直尾翼１２の構造部材に対して、所定の位置に貼り合わせて設置する設計パターンを含んでいる。この場合、複合材３０は、スキン２３の外表面上に貼り合わせて設置される。また、本実施形態の構造体の設計方法では、垂直尾翼１２に設置される複合材３０が、垂直尾翼１２の構造部材として用いる設計パターンを含んでいる。この場合、スパー２１、リブ２２及びスキン２３の少なくとも一部が、図２に示す複合材３０の構成となる。
【００４２】
本実施形態の構造体の設計方法は、図３に示すように、先ず、垂直尾翼１２に要求される要求性能を設定する（ステップＳ１）。ここで、要求性能には、複数の要求性能パラメータが含まれており、複数の要求性能パラメータとしては、垂直尾翼１２の強度、垂直尾翼１２の剛性、及び垂直尾翼１２の振動に対する減衰率を少なくとも含んでいる。これらの要求性能パラメータは、後述する複数の設計パラメータに対する感度が大きいパラメータとなっている。
【００４３】
ステップＳ１の実行後、垂直尾翼１２に複合材３０を設置可能な複合材設置領域Ｅ（図４参照）において、複合材３０を設置する分割設置領域Ａ−１〜３，Ｂ−１〜３，Ｃ−１〜３が設定される（ステップＳ２）。ここで、図４に示すように、複合材設置領域Ｅは、垂直尾翼１２の翼厚方向から見たときの領域であり、複数の分割設置領域Ａ−１〜３，Ｂ−１〜３，Ｃ−１〜３に分割されている。なお、図４に示す複数の分割設置領域Ａ−１〜３，Ｂ−１〜３，Ｃ−１〜３は、一例であり、この分割に限定されない。
【００４４】
複数の分割設置領域Ａ−１〜３，Ｂ−１〜３，Ｃ−１〜３は、翼長方向の先端側から順に、Ａ−１〜３を含むエリア、Ｂ−１〜３を含むエリア、及びＣ−１〜３を含むエリアとなるように３分割されている。また、複数の分割設置領域Ａ−１〜３，Ｂ−１〜３，Ｃ−１〜３は、翼幅方向の前方側から順に、Ａ−１〜Ｃ−１を含むエリア、Ａ−２〜Ｃ−２を含むエリア、Ａ−３〜Ｃ−３を含むエリアとなるように３分割されている。このため、複数の分割設置領域Ａ−１〜３，Ｂ−１〜３，Ｃ−１〜３は、９つに分割されている。
【００４５】
そして、この複数の分割設置領域Ａ−１〜３，Ｂ−１〜３，Ｃ−１〜３の少なくとも一つの領域に、複合材３０の設置を設定すると、垂直尾翼１２の設計性能が解析される（ステップＳ３：第１設計性能解析工程）。ステップＳ３では、ステップＳ２において設定された分割設置領域Ａ−１〜３，Ｂ−１〜３，Ｃ−１〜３を設計パラメータとし、この設計パラメータを入力パラメータとして、ＦＥＭ解析を実行することで、設計性能を導出している。なお、図４に示すように、ＦＥＭ解析では、翼長方向の先端側で、且つ、翼幅方向の中央を加振点Ｐとしている。なお、この加振点Ｐの位置は、一例であり、特に限定されない。例えば、空力中心位置あたり（先端側から１／３くらい）のところを加振点Ｐの位置としてもよく、また、実際の振動試験の加振状態に合わせて、加振点Ｐを任意の位置としてもよい。また、設計パラメータとしては、垂直尾翼１２の翼厚方向における複合材３０の積層位置と、複合材３０のポリアリレート系繊維の繊維方向とがあり、ステップＳ３において、積層位置及び繊維方向は、デフォルトとなる初期値が入力される。なお、デフォルトとなる積層位置は、翼厚方向の一方側の積層位置（後述する積層位置α）である。また、デフォルトとなるポリアリレート系繊維の繊維方向は、翼厚方向から見た平面視において、翼幅方向に対する角度が±４５°となる方向である。そして、上記設計パラメータに基づく垂直尾翼１２の解析モデルを生成し、生成した解析モデルに対して、加振点Ｐで振動させた場合の設計性能、すなわち、垂直尾翼１２の強度、垂直尾翼１２の剛性、及び垂直尾翼１２の振動に対する減衰率を含む複数の設計性能パラメータとして導出する。
【００４６】
ここで、ステップＳ２及びステップＳ３では、複数の分割設置領域Ａ−１〜３，Ｂ−１〜３，Ｃ−１〜３の設定を変えながら、設計性能を導出している。具体的に、ステップＳ２では、先ず、Ａ−１〜３を含むエリア、Ｂ−１〜３を含むエリア、及びＣ−１〜３を含むエリア、全て含むエリアを複数の分割設置領域としてそれぞれ設定する。そして、ステップＳ３において、各エリアの設計性能を導出し、最も高い設計性能となるエリアを選定する。例えば、選定したエリアが、Ｃ−１〜３を含むエリアであれば、ステップＳ２では、Ｃ−１〜３を複数の分割設置領域としてそれぞれ設定する。そして、再び、ステップＳ３において、Ｃ−１〜３の設計性能を導出する。
【００４７】
なお、ステップＳ２からステップＳ４における分割設置領域Ａ−１〜３，Ｂ−１〜３，Ｃ−１〜３の設定は、一例であり、分割設置領域の設定パターンは、特に限定されない。例えば、複数の分割設置領域Ａ−１〜３，Ｂ−１〜３，Ｃ−１〜３を一つずつ設定して、ＦＥＭ解析を行ってもよいし、複数の分割設置領域Ａ−１〜３，Ｂ−１〜３，Ｃ−１〜３の全ての組み合わせをそれぞれ設定して、ＦＥＭ解析を行ってもよい。
【００４８】
続いて、ステップＳ３において複数の設置パターンにおける設計性能がそれぞれ導出されると、導出された設計性能に基づいて、複合材３０を設置する分割設置領域を選定する（ステップＳ４：分割設置領域選定工程）。具体的に、ステップＳ４では、垂直尾翼１２の設計性能が最も高くなる分割設置領域Ａ−１〜３，Ｂ−１〜３，Ｃ−１〜３を選定している。
【００４９】
次に、ステップＳ４で選定された分割設置領域Ａ−１〜３，Ｂ−１〜３，Ｃ−１〜３において、垂直尾翼１２の厚み方向における複合材３０の積層位置が設定される（ステップＳ５）。ここで、図５は、垂直尾翼１２の翼幅方向から見たときの図であり、翼厚方向に沿って複数の積層位置が設定されている。図５に示すように、複数の積層位置としては、翼厚方向の一方側の積層位置である積層位置αと、翼厚方向の他方側の積層位置である積層位置γと、積層位置αと積層位置γとの間の積層位置βとがある。なお、積層位置としては、垂直尾翼１２のスキン２３の外表面上の位置である外表面積層位置と、垂直尾翼１２の構造部材の内部の位置である内部積層位置と、を含んでいてもよい。また、積層位置は、垂直尾翼１２の翼厚に対する位置であってもよいし、垂直尾翼１２の構造部材の板厚に対する位置であってもよく、特に限定されない。
【００５０】
そして、この複数の積層位置の少なくとも一つの位置に、複合材３０の設置を設定すると、垂直尾翼１２の設計性能が解析される（ステップＳ６：第２設計性能解析工程）。ステップＳ６では、ステップＳ４において選定された分割設置領域Ａ−１〜３，Ｂ−１〜３，Ｃ−１〜３と、ステップＳ５において設定された積層位置と、デフォルトの繊維方向とを設計パラメータとし、この設計パラメータを入力パラメータとしてＦＥＭ解析を実行することで、設計性能を導出している。
【００５１】
ステップＳ５及びステップＳ６では、積層位置α〜γの設定を変えながら、設計性能を導出している。ステップＳ５における積層位置α〜γの設定パターンは、特に限定されず、例えば、複数の積層位置α〜γを一つずつ設定して、ＦＥＭ解析を行ってもよいし、複数の積層位置α〜γの全ての組み合わせをそれぞれ設定して、ＦＥＭ解析を行ってもよい。
【００５２】
続いて、ステップＳ６において複数の積層位置α〜γにおける設計性能がそれぞれ導出されると、導出された設計性能に基づいて、複合材３０を設置する積層位置α〜γを選定する（ステップＳ７：積層位置選定工程）。具体的に、ステップＳ７では、垂直尾翼１２の設計性能が最も高くなる積層位置α〜γを選定している。
【００５３】
次に、ステップＳ４で選定された分割設置領域Ａ−１〜３，Ｂ−１〜３，Ｃ−１〜３、及び、ステップＳ７で選定された積層位置α〜γにおいて、複合材３０に含まれるポリアリレート系繊維の繊維方向が設定される（ステップＳ８）。なお、繊維方向は、翼厚方向から見た平面視において、翼幅方向を基準としたときの角度であり、ＶＦＲＰ層３２を２層設ける場合、±３０°、±４５°、または±６０°等とする。
【００５４】
そして、複合材３０の繊維方向を設定すると、垂直尾翼１２の設計性能が解析される（ステップＳ９：第３設計性能解析工程）。ステップＳ９では、ステップＳ４において選定された分割設置領域Ａ−１〜３，Ｂ−１〜３，Ｃ−１〜３と、ステップＳ７において選定された積層位置と、ステップＳ８において設定された繊維方向とを設計パラメータとし、この設計パラメータを入力パラメータとしてＦＥＭ解析を実行することで、設計性能を導出している。そして、ステップＳ８及びステップＳ９では、繊維方向の設定を変えながら、設計性能を導出している。
【００５５】
続いて、ステップＳ９において複数の繊維方向における設計性能がそれぞれ導出されると、導出された設計性能に基づいて、複合材３０のポリアリレート系繊維の繊維方向を選定する（ステップＳ１０：繊維方向選定工程）。具体的に、ステップＳ１０では、垂直尾翼１２の設計性能が最も高くなる繊維方向を選定している。
【００５６】
そして、ステップＳ１０において繊維方向が選定されると、ステップＳ４で選定された分割設置領域Ａ−１〜３，Ｂ−１〜３，Ｃ−１〜３、ステップＳ７で選定された積層位置α〜γ、及び、ステップＳ１０で選定された繊維方向を含む設計パラメータを入力パラメータとし、ＦＥＭ解析を実行することで、設計性能を導出する（ステップＳ１１）。
【００５７】
次に、ステップＳ１１で導出した垂直尾翼１２の設計性能が、ステップＳ１で設定した要求性能を満足するか否かを判定する（ステップＳ１２：性能判定工程）。つまり、ステップＳ１２では、要求性能に含まれる複数の要求性能パラメータと、ＦＥＭ解析により導出された設計性能に含まれる複数の設計性能パラメータとをそれぞれ比較し、設計性能パラメータのパラメータ値が、要求性能パラメータのパラメータ値以上となる場合、要求性能を満足すると判定する（Ｓ１２：Ｙｅｓ）。一方で、ステップＳ１２では、設計性能パラメータのパラメータ値が、要求性能パラメータのパラメータ値よりも小さい場合、要求性能を満足しないと判定する（Ｓ１２：Ｙｅｓ）。
【００５８】
垂直尾翼１２の設計性能が要求性能を満足すると判定する（Ｓ１２：Ｙｅｓ）と、ステップＳ４で選定された分割設置領域Ａ−１〜３，Ｂ−１〜３，Ｃ−１〜３、ステップＳ７で選定された積層位置α〜γ、及び、ステップＳ１０で選定された繊維方向を設計パラメータとして採用し（ステップＳ１３）、垂直尾翼１２の設計が完了する。
【００５９】
垂直尾翼１２の設計性能が要求性能を満足しないと判定する（Ｓ１２：Ｎｏ）と、設計パラメータ及び要求性能を見直すこととし（ステップＳ１４）、垂直尾翼１２の設計が完了する。そして、ステップＳ１４とした場合は、再び、ステップＳ１からステップＳ１２を実行する。
【００６０】
次に、図６を参照して、複合材が設置されない構造体としての垂直尾翼１２の性能と、複合材３０が設置された構造体としての垂直尾翼１２の性能とについて比較する。図６は、本実施形態に係る構造体の設計方法によって得られる解析結果を示すグラフである。図６は、その横軸が、周波数［Ｈｚ］となっており、その縦軸が、ミーゼス歪［μ］となっている。
【００６１】
図６において、ラインＬ０は、複合材３０が設置されない垂直尾翼１２の性能となっており、ラインＬ１は、複合材３０が設置された垂直尾翼１２の性能となっている。ラインＬ１は、ラインＬ０に比して、ミーゼス歪が小さくなっていることから、複合材３０が垂直尾翼１２に設置されることで、振動に対する制振性が向上していると認められる。また、ラインＬ１は、ラインＬ０に比して、ミーゼス歪がピークとなる周波数が高くなっていることから、複合材３０が垂直尾翼１２に設置されることで、剛性が向上していると認められる。
【００６２】
次に、上記の設計方法によって設計された複合材３０が設置された構造体としての垂直尾翼１２の一例について説明する。
【００６３】
上記の設計方法において選定された積層位置が、外表面積層位置である場合、垂直尾翼１２のスキン２３の外表面上には、複合材３０が貼り合わせられる。また、上記の設計方法において選定された積層位置が、構造部材の内部積層位置である場合、垂直尾翼１２のスキン２３の内部に、ＶＦＲＰ層３２を設けることで、スキン２３を複合材３０として機能させる。さらに、上記の設計方法において選定された繊維方向が、±６０°である場合、翼幅方向を基準（０°）として、２層となるＶＦＲＰ層３２におけるポリアリレート系繊維の繊維方向を±６０°となるように設置する。このため、ポリアリレート系繊維の繊維方向は、垂直尾翼１２の翼長方向におけるベクトルが長く、垂直尾翼１２の翼幅方向におけるベクトルが短い方向となる。
【００６４】
以上のように、本実施形態によれば、要求性能を満足する、分割設置領域Ａ−１〜３，Ｂ−１〜３，Ｃ−１〜３、積層位置α〜γ及び繊維方向を選定することができるため、垂直動翼１２に複合材３０を好適に設置することができる。このため、垂直動翼１２の振動を複合材３０によって好適に減衰させることができ、垂直動翼１２の制振性能を高めることができるため、垂直動翼１２の振動による疲労を低減することができ、垂直動翼１２の耐用寿命を長くすることができる。また、複合材３０を、垂直動翼１２に過剰に設置することを抑制できることから、垂直動翼１２の重量増加、ひいては、機体１の重量増加を抑制することができる。
【００６５】
また、本実施形態によれば、複合材３０をスキン２３の外表面に設けた場合の設計性能を評価したり、複合材３０をスキン２３等の構造部材の内部に設けた場合の設計性能を評価したりすることができる。これにより、要求性能を満足する場合、例えば、既設の構造部材の外表面に複合材３０を貼り合わせたり、構造部材の内部に複合材３０を積層したりすることができる。
【００６６】
また、本実施形態によれば、要求性能として、垂直尾翼１２の強度、垂直尾翼１２の剛性、及び垂直尾翼１２の振動に対する減衰率を含むことで、これらの要求性能パラメータを満足する垂直尾翼１２として設計することができる。
【００６７】
また、本実施形態によれば、制振材となるＶＦＲＰ層３２を、垂直尾翼１２の構造部材の内部に介在させる設計とすることができるため、ＣＦＲＰ層３１とＶＦＲＰ層３２とが一体となる垂直尾翼１２を成形することができる。このため、制振性能を有する垂直尾翼１２とすることができる。
【００６８】
また、本実施形態によれば、制振材となるＶＦＲＰ層３２を、構造部材の厚み方向に分散して配置する設計とすることができるため、ＶＦＲＰ層３２を積層して厚くする場合に比べて、ＣＦＲＰ層３１とＶＦＲＰ層３２との間の剛性差が大きくなることを抑制することができる。また、ＶＦＲＰ層３２のポリアリレート系繊維の繊維方向を適宜異ならせることで、ＶＦＲＰ層３２の等方性または異方性の特性を調整することができる。
【００６９】
また、本実施形態によれば、制振材となる複合材３０を、垂直尾翼１２の構造部材の外表面に貼り合わせる設計とすることができるため、簡易な構成で、制振性能を有する垂直尾翼１２とすることができる。
【００７０】
また、本実施形態によれば、ポリアリレート系繊維の繊維方向を、垂直尾翼１２の翼長方向におけるベクトルが長く、垂直尾翼１２の翼幅方向におけるベクトルが短い方向となる設計とすることができる。このため、ポリアリレート系繊維の繊維方向を、垂直尾翼１２の翼長方向に沿った方向とすることができるため、複合材３０の制振材としての機能を、垂直尾翼１２に対して好適に発揮させることができる。
【００７１】
なお、本実施形態では、航空機の構造体に適用したが、航空機に限定されず、他の装置の構造体に適用してもよい。
【００７２】
また、本実施形態では、分割設置領域選定工程Ｓ４、積層位置選定工程Ｓ７、繊維方向選定工程Ｓ１０を順に行ったが、分割設置領域選定工程Ｓ４、積層位置選定工程Ｓ７、及び繊維方向選定工程Ｓ１０の順序を、適宜入れ替えてもよく、特に限定されない。
【符号の説明】
【００７３】
１  機体
１１  胴体
１２  垂直尾翼
１４  垂直安定板
１５  方向舵
２１  スパー
２２  リブ
２３  スキン
３０  複合材
３１  ＣＦＲＰ層
３２  ＶＦＲＰ層
Ｅ  複合材設置領域
Ａ−１〜３，Ｂ−１〜３，Ｃ−１〜３  分割設置領域
α〜γ  積層位置
Ｐ  加振点
【図１】
0006516693.tif 000002
【図２】
0006516693.tif 000003
【図３】
0006516693.tif 000004
【図４】
0006516693.tif 000005
【図５】
0006516693.tif 000006
【図６】
0006516693.tif 000007